(57)【要約】【課題】スクロール表示の速さを保持しつつ、文章を読み取り易くする。【解決手段】文字表示装置は、一括表示可能な文字数を超える文字列を上記表示部の表示領域にスクロール表示が可能な表示部（表示パネル４７）と、文字列の所定の区切りを判別する区切り判別部１０３と、所定の条件においてスクロール速度を低下させる速度低下部１０４とを備え、スクロールにより順次移動されて表示領域の所定の位置に達した文字列の区切りが区切り判別部１０３によって判別（検出）されたとき、速度低下部１０４は、所定時間の間、所定レベル以上の速さを有した第１のスクロール速度から、文字列の読み取りが可能な第２のスクロール速度まで低下させる。【選択図】  図２
2004212589.tif 000002
【特許請求の範囲】
【請求項１】
所定の文字の表示が可能な表示部を備え、一括表示可能な文字数を超える文字列を上記表示部の表示領域にスクロールさせて表示する文字表示装置であって、上記文字列の所定の区切りを判別する区切り判別手段と、所定の条件においてスクロール速度を低下させる速度低下手段とを備え、上記スクロールにより移動されて上記表示領域の所定の位置に達した上記区切りを上記区切り判別手段によって判別された場合に、上記速度低下手段は、所定時間の間、所定レベル以上の速さを有した第１のスクロール速度から少なくとも上記文字列の読み取りが可能な第２のスクロール速度まで低下させることを特徴とする文字表示装置。
【請求項２】
上記表示領域の所定の位置は、上記スクロールされる向きの上記表示領域の端部であることを特徴とする請求項１記載の文字表示装置。
【請求項３】
上記判別手段は、上記文字列のスペースの位置を上記区切りと判別することを特徴とする請求項１又は２記載の文字表示装置。
【請求項４】
上記判別手段は、上記文字列のデータに挿入された所定の区切り制御符号の位置を上記区切りと判別することを特徴とする請求項１又は２記載の文字示装置。
【発明の詳細な説明】
【０００１】
【発明の属する技術分野】
本発明は、例えば複写機やプリンタ等の画像形成装置に適応され、一括表示が可能な文字数を超える文字列をディスプレイに表示する文字表示装置に関する。
【０００２】
【従来の技術】
従来、複写機やプリンタ等の画像形成装置などの表示部（例えば操作部の液晶表示ディスプレイ）に文章を表示させる場合、この表示部の表示領域に一括表示させることが可能な文字数（表示文字数）を超える文字数で構成された文章の表示方法として、文章をスクロールさせるなどして全文章を表示することで文章全体をユーザに読み取らせる方法がある。例えば、特許文献１には、表示部に表示される文章が表示領域の表示文字数よりも大きい文章を複数の文章ユニットに分割して、文章ユニット毎にスクロール表示させる技術が公開されている。また、特許文献２には、表示部に表示される文章中の文字列が、ユーザ等が予め登録した特定のキーワード又はキーワードに関連する文字列と一致したとき、スクロール速度を低下させて、このキーワードを見落とさないようにスクロール表示させる技術が公開されている。
【０００３】
【特許文献１】
特公平６−７５２２０号公報
【特許文献２】
特開２００１−１８４１５２号公報
【０００４】
【発明が解決しようとする課題】
ところで、文字列を一定の速度でスクロール表示させる場合、スクロール速度に対して表示部における文字表示の切り換え速度（反応速度）が遅い場合が多く、スクロール速度を遅くしなければ文章を読み取れないことがある。これに対し、表示部に表示される文章全体を読み取るのに要する時間を短縮させるためには、所定の速さ以上でのスクロールが要求されるという問題があった。特許文献１の場合、表示部には文章ユニット毎に文章が表示されるものの、文章ユニット毎の必要表示時間、すなわち、表示部に表示される各文章ユニットの全文章を読み取れるだけの時間を考慮してスクロール表示させる必要があり、結果として文章全体を読み取る時間が必要以上にかかってしまうことがある。また、特許文献２のように、特定のキーワードと一致したときにスクロール速度を遅くさせる方法であっても、この特定のキーワード以外の文章の部分においては、最低限、文章が読み取れるだけのスクロール速度にまで低下させる必要があった。
【０００５】
そこで、本発明は上記事情に鑑みてなされたもので、文章の全文字列がスクロール表示される速さが保持され、かつ、文章が読み取り易いスクロール表示を行える文字表示装置を提供することを目的とする。
【０００６】
【課題を解決するための手段】
請求項１記載の発明は、所定の文字の表示が可能な表示部を備え、一括表示可能な文字数を超える文字列を上記表示部の表示領域にスクロールさせて表示する文字表示装置であって、上記文字列の所定の区切りを判別する区切り判別手段と、所定の条件においてスクロール速度を低下させる速度低下手段とを備え、上記スクロールにより移動されて上記表示領域の所定の位置に達した上記区切りを上記区切り判別手段によって判別された場合に、上記速度低下手段は、所定時間の間、所定レベル以上の速さを有した第１のスクロール速度から少なくとも上記文字列の読み取りが可能な第２のスクロール速度まで低下させることを特徴とする文字表示装置である。
【０００７】
上記構成によれば、文字列のスクロールに伴って移動されて表示部の表示領域内の所定の位置まで達した区切りが区切り判別手段によって判別（検出）された場合に、速度低下手段によって所定レベル以上の速さを有した第１のスクロール速度から、所定の時間の間、少なくとも文字列の読み取りが可能な第２のスクロール速度まで下げられる。これにより、文字列の区切り位置ではスクロール速度が低下され、かつ、スクロール速度が低下されていないときは、所定レベル以上の速さを有したスクロール速度でスクロール表示されるため、全文字列がスクロール表示される速さが保持されつつ、文字列が読み取り易くされる。
【０００８】
請求項２記載の発明は、上記請求項１記載の文字表示装置において、上記表示領域の所定の位置は、上記スクロールされる向きの上記表示領域の端部であることを特徴とする。この構成によれば、表示部に表示されている文字列全体を一度に見なくても、表示領域の端部を注視していれば、すなわち、スクロールされて当該端部の位置まで順次移動されてくる文字列の先端部（先頭の単語）を注視していれば、全文字列（全文章の内容）が読み取られる。
【０００９】
請求項３記載の発明は、上記請求項１又は２記載の文字表示装置において、上記判別手段は、上記文字列のスペースの位置を上記区切りと判別することを特徴とする。この構成によれば、スペースが区切りとして利用されるため、文字列の区切りが容易に設定される。
【００１０】
請求項４記載の発明は、上記請求項１又は２記載の文字表示装置において、上記判別手段は、上記文字列に挿入された所定の区切り制御符号の位置を上記区切りと判別することを特徴とする。この構成によれば、所定の区切り制御符号が文字列に挿入され区切りとして利用されるため、スペースがない文字列であっても区切りが設定され、かつ、区切りが文字列の任意な位置に設定される。
【００１１】
【発明の実施の形態】
以下、本発明に係る実施形態を図面に基づいて説明する。図１は、本発明の一実施形態に係る画像形成装置の一例である複写機１の内部構成を概略的に示す断面図である。
【００１２】
複写機１は、本体部２と、本体部２の左方に配設されたスタックトレイ３と、本体部２の上部に配設された原稿読取部５と、原稿読取部５の上方に配設された原稿給送部６とを有している。また、複写機１のフロント部には、ユーザが印刷実行指示を入力するためのスタートキー４７１と、印刷部数等を入力するためのテンキー４７２と、各種複写動作の設定等を入力するための操作ガイド情報等を表示すると共に、種々の操作指令を入力するための種々の操作ボタン等を表示する液晶表示器（ＬＣＤ）等からなる表示器４７３（ディスプレイ）とを備えて構成される操作パネル４７が設けられている。
【００１３】
原稿読取部５は、ＣＣＤ（Ｃｈａｒｇｅ  Ｃｏｕｐｌｅｄ  Ｄｅｖｉｃｅ）センサ及び露光ランプ等からなるスキャナ５１と、ガラス等の透明部材により構成された原稿台５２（プラテンガラス）及び原稿読取スリット５３とを備える。スキャナ５１は、図略の駆動部によって移動可能に構成され、原稿台５２に載置された原稿を読み取るときには原稿台５２に対向する位置に移動され、原稿画像を走査しつつ取得した画像データを後述する制御部１０へ出力する。また、原稿給送部６により給送された原稿を読み取るときには原稿読取スリット５３と対向する位置に移動され、原稿読取スリット５３を介して原稿給送部６による原稿の搬送動作と同期して原稿の画像を取得し、その画像データを制御部１０へ出力する。
【００１４】
原稿給送部６は、原稿を載置するための原稿載置部６１と、画像読み取り後の原稿を排出するための原稿排出部６２と、原稿載置部６１に載置された原稿を１枚ずつ順に繰り出して原稿読取スリット５３に対向する位置へ搬送し、原稿排出部６２へ排出するための給紙ローラ（図略）及び搬送ローラ（図略）等からなる原稿搬送機構６３を備える。原稿搬送機構６３は、原稿を表裏反転させて原稿読取スリット５３と対向する位置へ搬送する図略の用紙反転機構をさらに備え、原稿の両面の画像を原稿読取スリット５３を介してスキャナ５１から読取可能にしている。
【００１５】
また、原稿給送部６は、可倒式に構成されており、原稿台５２上面を開放するように上方に持ち上げることにより、原稿台５２の上面に、読み取り原稿、例えば見開き状態にされた書籍等を載置することが可能に構成されている。
【００１６】
本体部２は、それぞれサイズが異なる記録紙を収納する複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。
【００１７】
記録部４０は、スキャナ５１で取得された画像データに基づいてレーザー光を出力して感光体ドラム４３を露光する光学ユニット４２と、感光体ドラム４３上にトナー像を形成する画像形成部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられた搬送ローラ等によって記録紙を搬送し、この記録紙をスタックトレイ３又は排出トレイ４８へ排出する用紙搬送装置４６とを備える。
【００１８】
図２は、図１に示す複写機１の概略構成を示すブロック図である。画像メモリ７は、原稿読取部５（スキャナ５１）によって読み取られた原稿画像のデータが一時的に記憶されるメモリである。ＨＤＤ（Ｈａｒｄ  Ｄｉｓｋ  Ｄｒｉｖｅ）８は、原稿読取部５によって読み取られた画像データ及び当該画像データに設定されている出力形式等が記憶される記憶装置である。なお、ＨＤＤ８に記憶されている画像データ等は複写機１で使用されるだけでなく、必要に応じて図略のネットワークＩ／Ｆ部などを介してクライアントＰＣ等の情報処理装置から確認されたり、当該情報処理装置の所定のフォルダへ転送される。
【００１９】
制御部１０は、複写機１の制御プログラムを記憶するＲＯＭ（Ｒｅａｄ  Ｏｎｌｙ  Ｍｅｍｏｒｙ）、一時的にデータを保管するＲＡＭ（Ｒａｎｄｏｍ  Ａｃｃｅｓｓ  Ｍｅｍｏｒｙ）、及び制御プログラム等を上記ＲＯＭから読み出して実行するマイクロコンピュータ等からなり、操作パネル４７等で受け付けられた指示情報や、本装置の各所に設けられているセンサからの検出信号に応じて装置全体の制御を行う処理を実行するものである。また、制御部１０は、文字情報記憶部１０１、スクロール表示部１０２、区切り判別部１０３、速度低下部１０４、及びタイマ１０５を備えている。
【００２０】
文字情報記憶部１０１は、表示器４７３に表示される文章、すなわち、複数の文字からなる文字列の情報（以降、文字列情報と称す）を記憶するものである。
【００２１】
文字列情報は、文字列の区切りとなる情報（以降、区切り情報という）を含んでいる。この文字列情報は、例えば、「Ｓｅｒｖｉｃｅ＿ｗｉｌｌ＿ｖｉｓｉｔ＿ｓｏｏｎ．＿Ｐｌｅａｓｅ＿ｗａｉｔ．」などとアルファベット等の所謂図形文字からなる文章のユニット（上記“「”、及び“」”のカギ括弧は含まない）であり、この文章ユニットを構成する各単語の間には、スペース（空白）が挿入されている。ここでは、このスペースは、アンダーバー（  ＿  ）として表記しているが、実際に文章ユニットが表示画面（表示器４３７）に表示される際には、このアンダーバーは表示されず、各単語間が空白となった状態で当該文章ユニットが表示される。このスペースは、上述の文章ユニットの区切り情報として扱われる。また、上記図形文字とは、例えばアルファベット、平仮名、漢字、カタカナ、数字、記号等の目に見える形を持った文字のことであり、所謂キャラクターコードのことである。
【００２２】
上記文字列情報は、例えば、「本装置の担当者が直ぐに参りますので、そのまま暫くお待ち下さい。」などと、漢字及び平仮名等からなる図形文字からなる文章ユニットであってもよい。この場合、上記区切り情報として、制御文字などの区切り制御符号が用いられ、当該区切り制御符号は、文章ユニットの所定の位置に挿入されている。ここで、上記制御文字とは、例えばアスキー（ＡＳＣＩＩ）コードなどの文字コード表における、０ｘ００〜０ｘ１Ｆ、及び０ｘ７Ｆのコード範囲などに割り当てられた文字群であり、例えばエスケープコード、タブコードなどの、所謂コントロールコード（制御コード）のことである。通常、スペース（コード値はＳＰＣ）は、制御文字とも図形文字とも見なすことができるが、ここでは、図形文字として扱うものとする。
【００２３】
上述の区切り制御符号の挿入に関し、具体的には、上記０ｘ００〜０ｘ１Ｆ、及び０ｘ７Ｆのコード範囲などに割り当てられた文字群のうち、コード値がＰＵ１（又はＰＵ２）等の私的利用可能な制御コードを、上記文章ユニットの好適な位置に挿入する。説明上、この制御コードＰＵ１を例えば、＃で表記し、上記文章ユニットに当該制御コードが挿入された一例を示すと、「本装置の＃担当者が＃直ぐに＃参ります＃ので、＃そのまま＃暫く＃お待ち＃下さい。」などと制御コードＰＵ１が挿入される（ただし、実際の表示では、この“＃“は、表示されない）。
【００２４】
スクロール表示部１０２は、文字情報記憶部１０１に記憶された文字列情報から生成された文字列を、表示器４７３にスクロール表示させるものである。スクロール表示部１０２は、文字情報記憶部１０１に記憶された文字列情報に基づいて、表示文字の文字パターンを発生する図略のキャラクタジェネレータ、及びこのキャラクタジェネレータで発生した文字パターンを表示器４７３にダイナミック表示させる図略の駆動部等を備えている。なお、スクロール表示部１０２は、文章ユニットを構成する全表示文字数が、表示器４７３の表示領域に一括表示可能な文字数よりも多い場合に、当該文章ユニットの文字列を表示器４７３にスクロール表示させる。
【００２５】
区切り判別部１０３は、上記スペースや区切り制御符号等の区切り情報に基づいて、表示器４７３に表示される文章の区切りを判別するものである。区切り判別部１０３は、区切り情報を有した文字列が、表示器４７３の表示領域内を所定の向きにスクロールされ、このスクロールに伴って当該区切りが移動表示（繰り上がり表示）されて表示領域における所定の位置に達したとき、この所定の位置における区切り（区切り情報）を判別（検出）する。
【００２６】
速度低下部１０４は、上記表示領域の所定の位置に達した上記区切りが、区切り判別部１０３によって判別された場合に、スクロール速度を、所定時間の間、低下させるものである。例えば、速度低下部１０４は、区切り判別部１０３によって当該区切りが判別された場合、この区切りが判別されたことを示す信号を区切り判別部１０３から受信し、この信号に基づいて、所定レベル以上の速さを有したスクロール速度（以降、第１のスクロール速度という）から、少なくとも文字列の読み取りが可能なスクロール速度（以降、第２のスクロール速度という）まで低下させる。そして、区切りが判別された時点から所定時間（例えば、約１秒）が経過した後、後述するタイマ１０５から受信したこの所定時間の経過を示す情報を有した信号に基づいて、第２のスクロール速度から第１のスクロール速度まで復帰させる。ただし、スクロール速度が第２のスクロール速度に達した時点を起点としてこの経過時間のカウントを行ってもよい。
【００２７】
なお、上述の所定レベル以上の速さを有した第１のスクロール速度とは、全文章の読み取りに要する時間が短縮可能とされる程度の速さを有したスクロール速度である。この第１のスクロール速度では、文章の読み取りが可能であることが望ましいが、特に文章の読み取りが可能であるかということに対して考慮されなくともよい。
【００２８】
タイマ１０５は、区切り判別部１０３によって文字列の区切りが判別された時点からの時間経過を計測するものである。タイマ１０５は、区切り判別部１０３から、区切りが判別されたことを示す信号を受信し、この受信した時点を起点として経過時間のカウントを開始し、予め設定された時間（例えば上述の約１秒）が経過した時点でこの時間が経過したことを示す信号を速度低下部１０４に送る。
【００２９】
図３は、本発明の一実施形態に係る表示器４７３への文字列のスクロール表示の一例を説明する図である。ここでは、例えば、上述した「Ｓｅｒｖｉｃｅ＿ｗｉｌｌ＿  ｖｉｓｉｔ＿ｓｏｏｎ．＿Ｐｌｅａｓｅ＿ｗａｉｔ．」という文章を表示器４７３に表示する場合について説明する。表示器４７３の表示領域３００は、例えば最大１６文字を一括表示できるものとする。この場合、上記文章ユニットの文章の文字数は、この１６文字以上であるため、スクロール表示が必要となる。文字列がスクロールされる向き（スクロール方向）を、図３中に示す記号αの矢印の向きとする。まず、表示領域３００には、文章中の文字である「Ｓ」という文字が表示領域３００の端部３０１（表示領域３００の左端部）に配置されるように、すなわち、同図中の▲１▼の表示状態に示す、「Ｓｅｒｖｉｃｅ＿ｗｉｌｌ＿ｖｉｓ」となるように文字列が表示される。そして、この▲１▼の表示状態から、文字列のスクロールが開始され、上記第２のスクロール速度でスクロールされる。そして、所定時間（例えば上述の約１秒間）経過後、この第２のスクロール速度から第１のスクロール速度に上げられる。
【００３０】
次に、第１のスクロール速度でスクロールされ、文字列が表示領域内を端部３０１側に向けて順次移動し、「Ｓｅｒｖｉｃｅ」の次の単語である「ｗｉｌｌ」の先頭のスペースが、上記端部３０１にきたとき、スクロール速度は、第１のスクロール速度から第２のスクロール速度に低下する。そして、この第２のスクロール速度でスクロールされて▲２▼の表示状態を経て、「ｗｉｌｌ」の先頭のスペースが端部３０１にきたときから所定時間（例えば、約１秒間）経過後、第１のスクロール速度に復帰する。これらの動作を繰り返しながら、▲３▼の表示状態から▲６▼の表示状態となるまで文章のスクロール表示が行われる。当該文章ユニットを繰り返して表示する場合は、必要再び▲１▼の表示状態に戻り、以降同様のスクロール表示を行う。このように、▲１▼〜▲６▼の各表示状態の付近では所謂遅くスクロールさせ、▲１▼〜▲６▼の各表示状態間の移行段階（図３中の記号Ａ〜Ｆの矢印）では所謂速くスクロールさせることによって、全文字列がスクロール表示される速さが保持されつつ、文字列が読み取り易くなる。
【００３１】
図４は、本発明に係るスクロール動作の一例を説明するためのフローチャートである。まず、表示器４７３に所定の文字列が表示され、その後、スクロール表示部１０２によって、第２のスクロール速度、すなわち遅いスクロール速度で文字列がスクロール表示される（ステップＳ４０１）。そして、表示器４７３に所定の文字列が表示された時点を起点として、タイマ１０５によって経過時間がカウントされ、所定時間（例えば、上述の約１秒間）経過した時点でこのタイマ１０５から所定時間経過したことを示す信号が出力される。速度低下部１０４は、このタイマ１０５からの出力信号に基づいて、文字列のスクロール速度を第２のスクロール速度から第１のスクロール速度に復帰させる（ステップＳ４０２）。当該スクロールによって文字列の各文字が順に表示領域３００の端部３０１に移動（繰り上がり表示）され、当該繰り上がり表示されてきた文字（文字コード）が文字列の区切り（上記スペース、あるいは区切り制御符号など）であるか否かが区切り判別部１０３によって判別され（ステップＳ４０３）、区切りであると判別された場合、速度低下部１０４によってスクロール速度が第１のスクロール速度から第２のスクロール速度まで低下されてスクロール速度が遅くなる（ステップＳ４０４）。繰り上がり表示されてきた文字が区切りでなければ、上記ステップＳ４０２における第１のスクロール速度が維持される。第２のスクロール速度でスクロール表示され所定の時間が経過したか否かが、タイマ１０５による経過時間の計測情報に基づいて判定され（ステップＳ４０５）、所定時間経過した場合は、速度低下部１０４によって、スクロール速度が第２のスクロール速度から第１のスクロール速度まで復帰される（ステップＳ４０６）。所定時間経過していなければ、第２のスクロール速度が維持される。文字列のスクロールが進行し、上記表示領域３００の端部３０１に繰り上がり表示されてきた文字が文字列の末尾であるか否かが判定される（ステップＳ４０７）。繰り上がり表示されてきた文字が文字列の末尾であれば、次のステップに進み、この末尾までスクロール表示された文字列を、再び文字列の先頭文字からスクロール表示させるか（ループ表示されるか）否かが判定され（ステップＳ４０８）、文字列の先頭文字からスクロール表示する場合は、上記ステップＳ４０１に戻ってスクロール表示が開始される。スクロール表示を繰り返さない場合は、スクロール表示が終了される。
【００３２】
以上のとおり、本発明の画像形成装置によれば、表示領域３００の端部３０１まで移動して到達した区切りが、区切り判別部１０３によって判別（検出）されたとき、文字列のスクロール速度が、速度低下部１０４によって所定の速さを有した第１のスクロール速度から文字列の読み取りが可能な第２のスクロール速度にまで低下される。そして、所定時間の後、第１のスクロール速度に復帰される。これにより、全文字列がスクロール表示される速さが保持され、ひいては、全文章の読み取り時間の短縮化を図ることができる。また、文字列の適所においてスクロール速度が低下されるため、文章（文字列）の内容を読み取り易くすることができる。
【００３３】
また、文字列の区切りが表示領域３００の端部３０１に達したときにスクロール速度が低下されるため、表示器４７３に表示される文字列全体を一度に見なくても、スクロールされて順次繰り上がって移動してくる文字列の先頭部（先頭の単語等）を注視していれば文章全体の内容を読み取ることが可能となる。また、スペースが区切りとして利用されるため、特別な区切り情報を文字列に挿入することなく区切りを容易に設定することができる。さらに、制御文字などの区切り制御符号を文字列に挿入して利用することができるため、この場合、スペースを有していない文字列（文章ユニット）であっても区切りを設定することが可能となり、かつ、文字列の任意な位置に当該区切りを設定することができる。
【００３４】
なお、本発明は以下の態様をとることができる。
（Ａ）本実施形態においては、スペース（空白）を区切り情報として利用しているが、スペースでなくともよく、例えば、ピリオド、コンマ、コロン等の図形文字を区切り情報として利用してもよい。
（Ｂ）本実施形態においては、各区切りに対して、同一の区切り制御符号（例えば上述のコード値がＰＵ１の私的利用用の制御コード）を用いているが、各区切りに対して異なる区切り制御符号を用いてもよい。
（Ｃ）本実施形態においては、第２のスクロール速度でスクロールさせる時間の長さは、文字列の各区切りに対して同じ時間（ここでは、例えば、約１秒間）であるが、各区切りに対して異なる時間であってもよい。また、この速度を低下させる時間の長さは例えば上記１秒間でなくとも、表示される文章の特徴に合った好適な時間の長さであればよく、１秒間より短くても長くてもよい。
（Ｄ）本実施形態においては、上述におけるアルファベットとスペースとで構成された文章では、スペース（スペースコード）が単語間のみに挿入されているが、このスペースを文章の先頭（ここでは、例えば「Ｓｅｒｖｉｃｅ」の先頭位置に挿入してもよく、この場合、初めに表示器４７３に表示されたとき（図４のステップＳ４０１に相当）に、この先頭位置のスペースに基づいて、第２のスクロール速度でスクロールさせてもよい。また、当該文章ユニットにおいて、スペースを区切り情報として使用せず、所定の区切り制御符号を当該文章の任意の位置（例えば、各スペースの先頭の位置）に挿入し、この区切り制御符号をスペースの代わりに区切り情報として用いてもよい。
（Ｅ）本実施形態においては、区切り制御符号を、例えば、既存の制御コードからコード値がＰＵ１のコードを選択して用いているが、このように、既存のシフトＪＩＳコードやユニコード等を用いずに、独自のコードを作成して用いてもよい。
（Ｆ）本実施形態で用いている文字コードは、アスキー（ＡＳＣＩＩ）コード、シフトＪＩＳコード、あるいはユニコードなどのいずれのコードを用いてもよい。また、文章は日本語、又は英語で表記されてなくともよく、それ以外の外国語等で表記されていてもよい。
（Ｇ）本実施形態における、第１のスクロール速度は、所定レベル以上の速さに設定されているが、従来一般的なスクロール速度（ただし、第２のスクロール速度より速いスクロール速度を有している）であってもよい。
（Ｈ）本実施形態においては、スペースあるいは区切り制御符号等の区切り情報に基づいてスクロール速度を低下させる構成であるが、このように区切り情報を用いずに、例えば、文字列の先頭文字から所定の順番に位置する文字が、上記表示領域３００の端部３０１に達したとき、スクロール速度を低下させる構成としてもよい。また、これに限らず、区切りが判別される所定の処理を予め文章に施しておき、この区切りが判別される処理情報に基づいてスクロール速度を低下させる構成としてもよい。
（Ｉ）本実施形態においては、区切り判別部１０３によって区切りの判別される位置は、表示領域３００の端部３０１であるが、表示領域３００内の適所であれば、いずれの位置（例えば、表示領域３００の中央部近傍）であってもよい。また、区切りの判別される位置は、表示領域３００内でなくともよく、例えば、「Ｓｅｒｖｉｃｅ＿ｗｉｌｌ＿ｖｉｓｉｔ…」という文字列の「ｗｉｌｌ」の先頭のスペースが、仮想的に（視覚的ではなく文字列のデータ的に）、表示領域３００の端部３０１の外側に出た（達する）位置を区切りが判別される位置としてもよい。
（Ｊ）文章ユニットの表示領域３００に対するスクロール方向は、本実施形態のように右から左（端部３０１側）でなくともよく、左から右、上から下、下から上、あるいは斜め方向であってもよい。
【００３５】
【発明の効果】
請求項１記載の発明によれば、文字列の区切り位置ではスクロール速度が低下され、かつ、スクロール速度が低下されていないときは、所定レベル以上の速さを有したスクロール速度でスクロール表示されるため、全文字列がスクロール表示される速さを保持しつつ、文字列を読み取り易くすることができる。
【００３６】
請求項２記載の発明によれば、表示部に表示されている文字列全体を一度に見なくても、表示領域の端部を注視していれば、すなわち、スクロールされてこの端部の位置まで順次移動されてくる文字列の先端部を注視していれば、全文章の内容を読み取ることができる。
【００３７】
請求項３記載の発明によれば、スペースが区切りとして利用されるため、文字列の区切りを容易に設定することができる。
【００３８】
請求項４記載の発明によれば、所定の区切り制御符号が文字列に挿入され区切りとして利用されるため、スペースがない文字列であっても区切りを設定することができ、かつ、区切りを文字列の任意な位置に設定することができる。
【図面の簡単な説明】
【図１】本発明の一実施形態に係る画像形成装置の一例である複写機の内部構成を概略的に示す断面図である。
【図２】複写機の概略構成を示すブロック図である。
【図３】本発明の一実施形態に係る表示器への文字列のスクロール表示の一例を説明する図である。
【図４】本発明に係るスクロール動作の一例を説明するためのフローチャートである。
【符号の説明】
１  複写機（文字表示装置）
５  原稿読取部
７  画像メモリ
８  ＨＤＤ
１０  制御部
１０１  文字情報記憶部
１０２  スクロール表示部
１０３  区切り判別部（区切り判別手段）
１０４  速度低下部（速度低下手段）
１０５  タイマ
４０  記録部
４７  操作パネル
４７３  表示器（表示部、表示領域）
【図１】
2004212589.tif 000003
【図２】
2004212589.tif 000004
【図３】
2004212589.tif 000005
【図４】
2004212589.tif 000006